(57)【要約】【課題】  住宅等の建築物の壁や天井などの下地材に仕上げ材として建築板材を施工する際に、建築板材の位置調整が容易であり施工性に優れ、且つ、施工後の強度にも優れた鋲状固定具とそれを用いた建築板材の施工方法を提供する。【解決手段】  頭部とこの頭部の下方に設けた針部とからなる鋲状固定具で、その頭部裏面に、押圧により破壊するように形成された、接着剤を内包する接着カプセルを着設しており、この鋲状固定具を裏面に取り付けた建築板材を下地材に対して押圧することにより、カプセルが破壊され接着剤が建築板材と下地材の間に流出するとともに、鋲の針部を下地材に突き刺すことにより固定する。【選択図】  図１
2007192278.tif 000002
【特許請求の範囲】
【請求項１】
頭部と該頭部の下方に設けられた針部とからなる鋲状固定具の頭部裏面に、押圧により破壊するように形成された、接着剤を内包する接着カプセルを着設していることを特徴とする鋲状固定具。
【請求項２】
請求項１に記載の鋲状固定具が複数個裏面に取り付けられた建築板材の裏面を下地材に押圧することにより、上記鋲状固定具の針部を上記下地材に刺し込むとともに接着カプセルを破壊して該接着カプセルに内包された接着剤をカプセル外に流出させて、上記鋲状固定具の針部と流出させた接着剤とにより、上記建築板材と上記下地材とを固定することを特徴とする建築板材の施工方法。
【発明の詳細な説明】
【技術分野】
【０００１】
本発明は壁、天井などの下地材に仕上げ用の建築板材を施工する際に用いる鋲状固定具と、該鋲状固定具を用いた建築板材の施工方法に関する。
【背景技術】
【０００２】
従来から、住宅等の建築物の壁や天井などの下地材に仕上げ材として建築板材を施工する場合、該建築板材を釘やステープルなどの固定具、両面粘着テープ、接着剤、もしくはこれらの併用により下地材に取り付けている。
【０００３】
しかしながら、このような建築板材の施工方法は、釘やステープル等の固定具を単独で用いて建築板材を下地材に固定していると固定力が不十分になることがある。また、接着剤を併用すると建築板材は下地材にしっかりと固定されるものの、接着剤の塗布や釘打ち等の施工に非常な手間がかかる。その上、釘やステープル等の固定具を用いて固定する方法は化粧板材表面上に釘頭等が見え見栄えが悪いため、隠したり、目立たないようにしたりする処理が必要となる。
【０００４】
一方、両面粘着テープを用いて接着固定する方法は、化粧板材表面上に釘頭等が見え見栄えが悪くなることはないが、粘着面が露出しているため一度位置決めするとその位置を調整し変更することは難しく、建築板材の固定位置を決めるための位置調整作業が困難であった。
【０００５】
上記のような問題点を低減させて下地材への建築板材の施工性を向上させるために、例えば、特許文献１のように、建築板材の裏面もしくは下地材に両面粘着テープを部分的に塗布し、且つ、上記両面粘着テープよりも厚い厚みの発泡体シートを両面粘着テープが塗布されていない所に部分的に配置し、位置調整をした後、化粧板材表面から押圧することにより接着する方法が提案されている。このような両面粘着テープと発泡体シートを用いた施工方法は、建築板材表面より押圧するまで建築板材は固定されないため位置調整作業が容易であると共に、釘などの固定具のように建築板材表面上に釘頭等が見えて見栄えが悪くなることがない。
【０００６】
しかしながら、建築物の下地材として非常に多く用いられている、石膏を主体とする芯材層とその表裏面の紙層より構成される石膏ボード上に、両面粘着テープを用いて施工した場合、表面の紙層と建築板材は接着剤により固定されるが、石膏ボードの芯材層から紙層が剥離してしまう可能性があった。また、壁面や天井面などをリフォームする際に、既存のクロス等を剥がすことなく、建築板材を上貼りする方法が普及しつつあるが、このリフォーム方法に両面粘着テープを用いた建築板材の施工方法を適用すると、クロスと建築板材は接着剤により固定されるが、クロスが下地材から剥離することがあった。
【特許文献１】特開２０００−２２６５５７号公報
【発明の開示】
【発明が解決しようとする課題】
【０００７】
本発明は、上記の問題点を鑑みなされたもので、位置調整が容易であり施工性に優れ、且つ、施工後の接着強度に優れた鋲状固定具と、それを用いた建築板材の施工方法を提供することを目的とする。
【課題を解決するための手段】
【０００８】
上記目的を達成するために、請求項１に係る発明の鋲状固定具は、頭部と該頭部の下方に設けられた針部とからなる鋲状固定具の頭部裏面に、押圧により破壊するように形成された、接着剤を内包する接着カプセルを着設されていることを特徴とする。
【０００９】
また、請求項２に係る発明の建築板材の施工方法は、上記請求項１に記載の鋲状固定具が複数個裏面に取り付けられた建築板材の裏面を下地材に押圧することにより、上記鋲状固定具の針部を上記下地材に刺し込むとともに接着カプセルを破壊して該接着カプセルに内包された接着剤を接着カプセル外に流出させて、上記鋲状固定具の針部と流出させた接着剤とにより、上記建築板材と上記下地材とを固定することを特徴とする。
【発明の効果】
【００１０】
本発明の鋲状固定具と、それを用いた建築板材の施工方法によれば、建築板材を押圧するまで接着カプセルが破壊されないため、その間に建築板材の位置合せが容易に行えるだけでなく、建築板材を押圧することにより、接着カプセルが破壊され接着剤が建築板材と下地材の間に流出されるとともに、鋲の針部が突き刺さり固定されるため、建築板材と下地材を確実に固定できる。
【００１１】
さらに、既存のクロス表面上などに建築板材を施工し、リフォームをおこなう際についても、カプセルを破壊する際に鋲の針部に接着剤が付着するため、鋲の針部がクロスを貫通した後クロスが貼着してある下地材に強固に固定できる。
【発明を実施するための最良の形態】
【００１２】
以下、本発明を実施するための実施形態を図面に基づき説明する。尚、本発明は本実施形態の記載内容に限られるものではない。
【００１３】
図１は、本発明の実施形態である鋲状固定具Ａの断面図を示す。この鋲状固定具Ａは、頭部１と該頭部１の下方に設けられた針部２と、頭部１の裏面側に着設させ、押圧により破壊するように形成された、接着剤を内包する接着カプセル３とで構成されている。
【００１４】
頭部１は、円板や多角形板の形状で、その表面側は建築板材４の裏面に、接着剤や粘着テープ等で固定できるような平滑な取り付け面に形成されている。このような頭部１の取り付け面は、上記のような平滑面に限らず、鋭利な突起状に形成しておき、この鋭利な突起状部を建築板材４の裏面に突き刺して取り付けできるようにしておくこともできる。
【００１５】
また、針部２は、上記頭部１の裏面中央から下方に突出して形成されており、その先端は、下地材５の内部に刺し込むことができるように鋭利に形成されている。
【００１６】
このような、鋲状固定具Ａの本体である頭部１と針部２の材質は特に限定されるものではないが、釘、ステープルなどの固定具に一般的に用いられる材料であればよく、例えば、ステンレス、鉄、真鍮などの金属類やプラスチック類を用いることができ、さらに必要に応じてこれらの表面にメッキ等の表面処理や塗装などを施しておくこともできる。
【００１７】
また、接着カプセル３は、押圧により破壊可能な外皮３ａと、この外皮３ａ内に封入された接着剤３ｂとで形成されており、頭部１の裏面側に両面粘着テープや接着剤により着設されている。このような押圧により破壊可能な外皮３ａとして、プラスチック類、炭水化物類その他の有機物の薄膜や金属箔の薄膜等で形成したものを用いることができる。
【００１８】
更に、上記接着剤３ｂとしては、建築板材４と下地材５、鋲状固定具Ａの針部２と下地材５が良好に接着されるものであれば特に限定されず、例えば、エポキシ樹脂系接着剤、ポリエステル系接着剤、ウレタン系接着剤、湿気硬化型ウレタン系接着剤などを用いることができる。また、２液性の接着剤の場合は、カプセル内を２室に分けるか、或いは主剤と硬化剤をそれぞれ内包した２種類のカプセルを取り付けておくことにより、カプセルが破壊される際に２液が所定の混合比で混合できるようにしておけばよい。
【００１９】
また、上記接着カプセル３は、その形状が、正球や楕球などの球状形状のものや、正球や楕球などの球体を略半分に切断した形状のもの、環状形状のものなどを用いることができる。そして、その高さＴは、針部２の長さ寸法Ｌより高くすることにより、建築板材１の位置合せの際に鋲状固定具Ａの針部２が下地材５に引っ掛かることがなく、スムーズに建築板材４を動かすことができるので好ましい。
【００２０】
次に、図２に基づき、上記鋲状固定具Ａを用いた建築板材４の下地材５への施工方法を説明する。先ずこの建築板材４は、図２に示すように、予めその裏面に上記鋲状固定具Ａの頭部１の表面が接着剤や両面粘着テープ等によって固定されて形成されている。
【００２１】
そしてこの建築板材４を下地材５に施工する際には、建築板材４の裏面を下地板５の表面に軽く押し当ててその位置合わせをした後、該建築板材４裏面に固定した鋲状固定具Ａの針部２を下地材５の表面から刺し込むように押圧する。
【００２２】
この押圧によって、建築板材４の裏面に着設している接着カプセル３は変形してその外皮３ａが破れて接着カプセル３内の接着剤３ｂが流出するとともに鋲状固定具Ａの針部２の表面にも部分的に付着し、更に押圧することで流出した接着剤３ａが鋲状固定具Ａの周囲の建築板材４の裏面と、それに相対する下地材５の表面との間に拡がるとともに鋲状固定具Ａの針部２が下地材５に十分突き刺さって建築板材４を下地材５に仮止めし、その後上記接着剤が硬化して建築板材４を下地材５に強固に固定することができるものである。
【００２３】
このような建築板材４としては、合板、木質繊維板、フェノール樹脂板やメラミン樹脂板等の合成樹脂板、珪酸カルシウム板、ロックウール板、火山性ガラス質複層板などを基板とし、この基板上にポリエチレンテレフタレート樹脂シートやオレフィン系樹脂シート、化粧紙、突板などが貼着されたもの、或いはこれらの表面に更にスプレーコータ、ロールコータ、フローコータなどの塗布手段により塗装されたものなどを用いることができる。
【００２４】
また、下地材５としては、住宅などの建築物の下地材として一般的に使用されるもののうち、上記建築板材４の裏面を押し付けた際に、建築板材４の裏面に固定した鋲状固定具Ａの針部２を突き刺さすことができるものであればよく、例えば、合板、木質繊維板、石膏ボードなどを用いることができる。さらに、これらの下地材の表面に既にクロスが貼着された既設施工面を下地材５とすることもできる。
【産業上の利用可能性】
【００２５】
本発明の鋲状固定具とそれを用いた建築板材の施工方法は、位置調整が容易であり施工性に優れ、且つ、施工後の強度に優れているため、合板等の建築下地上への施工に好適に利用できるのは勿論、既存のクロス表面上への施工にも適用することができる。
【図面の簡単な説明】
【００２６】
【図１】本発明の実施形態に係る鋲状固定具Ａの断面図。
【図２】本発明に係る鋲状固定具Ａを用いた建築板材の施工方法の実施形態を示す説明図。
【符号の説明】
【００２７】
Ａ          鋲状固定具
１          頭部
２          針部
３          接着カプセル
３ａ        外皮
３ｂ        接着剤
４          建築板材
５          下地材
【図１】
2007192278.tif 000003
【図２】
2007192278.tif 000004